(57)【特許請求の範囲】
【請求項１】
振動締固め機の機体の進行方向と直角な２本の軸にそれぞれ偏心ウエイトを取り付け、偏心ウエイトの位相を変化させることにより機体の進行を変換するようにした進行変換装置において、
前記偏心ウエイトの駆動入力は正逆回転切替自在とし、
前記偏心ウエイトは断面半円形とし、
一方の偏心ウエイトは取付軸に固定され、他方の偏心ウエイトは取付軸に遊嵌され、
偏心ウエイトが遊嵌された取付軸に固定されたギアに、前記偏心ウエイトに当接して前記偏心ウエイトの位相を規制するストッパーを９０度の角度をなして２カ所に突設し、
前記駆動入力の正逆切替によって二つの偏心ウエイトの位相を９０度変化させ、機体の進行が前進及び停止に変換されるように構成した、
振動締固め機の進行変換装置。
【請求項２】
振動締固め機の機体の進行方向と直角な２本の軸にそれぞれ偏心ウエイトを取り付け、偏心ウエイトの位相を変化させることにより機体の進行を変換するようにした進行変換装置において、
前記偏心ウエイトの駆動入力は正逆回転切替自在とし、
前記偏心ウエイトは断面半円形とし、
双方の偏心ウエイトは取付軸に遊嵌され、
各取付軸に固定されたギアに、前記偏心ウエイトに当接して前記偏心ウエイトの位相を規制するストッパーを１又は２ヵ所に突設し、
前記駆動入力の正逆切替によって二つの偏心ウエイトの位相を１８０度変化させ、機体の進行が前進及び後進に変換されるように構成した、
振動締固め機の進行変換装置。
【請求項３】
振動締固め機の機体の進行方向と直角な２本の軸にそれぞれ偏心ウエイトを取り付け、偏心ウエイトの位相を変化させることにより機体の進行を変換するようにした進行変換装置において、
前記偏心ウエイトの駆動入力は正逆回転切替自在とし、
前記偏心ウエイトは断面半円形とし、
双方の偏心ウエイトが取付軸に遊嵌され、
各取付軸に固定されたギアに、前記偏心ウエイトに当接して前記偏心ウエイトの位相を規制するストッパーを１又は２ヵ所に突設し、
前記駆動入力の正逆切替によって二つの偏心ウエイトの位相を９０度変化させ、機体の進行が前進及び停止に変換されるように構成した、
振動締固め機の進行変換装置。
【請求項４】
振動締固め機の機体の進行方向と直角な２本の軸にそれぞれ偏心ウエイトを取り付け、偏心ウエイトの位相を変化させることにより機体の進行を変換するようにした進行変換装置において、
前記偏心ウエイトの駆動入力は正逆回転切替自在とし、
偏心ウエイトの一方又は双方が取付軸に遊嵌され、
前記偏心ウエイトが遊嵌された取付軸に固定されたギアに、偏心ウエイトの位相を規制するストッパーを設け、
前記偏心ウエイトの端面には前記ストッパーが装着される円弧状の溝を設け、
前記駆動入力の正逆切替によって二つの偏心ウエイトの位相を変化させ、機体の進行が変換されるように構成した、
振動締固め機の進行変換装置。
【発明の詳細な説明】
【０００１】
【発明の属する技術分野】
この発明は、コンパクターなど振動締固め機の進行、すなわち前進、後進、停止を変換するための装置に関するものである。
【０００２】
【従来の技術】
従来、振動締固め機の進行を変換させる装置としては、転圧プレートと直角な２本の軸に取り付けられた偏心ウエイトの位相を変化させるようにしたものが知られている。ところで、従来の技術がいずれも偏心ウエイトの駆動源としてエンジンを想定しており、偏心ウエイトの駆動入力の回転方向は一定という条件の下で、二つの偏心ウエイトの位相を変化させるようにしている。したがって、偏心ウエイトの取付軸を駆動源の回転力とは別の手段により、２本の回転軸を異なる角度回転させ、もって偏心ウエイトの位相を変化させるようにしている。
【０００３】
【発明が解決しようとする課題】
この発明は、偏心ウエイトの取付軸の駆動力によって偏心ウエイトの位相を変化させることにより、従来必須であった駆動源の回転力とは別の位相を変化させるための手段を不要とし、簡易な構造で偏心ウエイトの位相を変化させることを課題とするものである。
【０００４】
【課題を解決するための手段】
請求項１の振動締固め機の進行変換装置は、振動締固め機の機体の進行方向と直角な２本の軸にそれぞれ偏心ウエイトを取り付け、偏心ウエイトの位相を変化させることにより機体の進行を変換するようにした進行変換装置において、前記偏心ウエイトの駆動入力は正逆回転切替自在とし、偏心ウエイトを断面半円形とし、偏心ウエイトの一方又は双方が取付軸に遊嵌され、前記偏心ウエイトが遊嵌された取付軸に固定されたギアに、偏心ウエイトの位相を規制するストッパーを９０度の角度をなして２カ所に突設し、前記駆動入力の正逆切替によって二つの偏心ウエイトの位相を９０度変化させ、機体の進行が前進及び停止に変換されるように構成する。
【０００５】
前記偏心ウエイトの形状に格別の限定はなく、以下の請求項に示す断面半円形に限定されるものではない。そして、偏心ウエイトの断面形状にしたがい、ストッパーの位置は適宜決定する。また、ストッパーを偏心ウエイトの側面に当接させる態様には、偏心ウエイトの端面に円弧状の溝を開口させ、この溝にストッパーを入り込ませることにより、偏心ウエイトの形状に制約されずに角度の選定を行うことができるようにした構造も含まれる。
【０００６】
前記正逆切替自在な駆動入力としては、駆動源として正逆切替可能な電動モータや油圧モータを使用するほか、駆動源としては回転方向が特定されたエンジンなどを用い、駆動源と偏心ウエイトの駆動軸との間に回転方向変換器を介在させるものでもよい。
【０００７】
請求項１の発明は一方の偏心ウエイトのみを取付軸に遊嵌した構成であり、請求項２及び請求項３の発明は双方の偏心ウエイトを取付軸に遊嵌した構成である。
また、請求項１ないし請求項３の発明はストッパーを偏心ウエイトの側面部に当接させる構成であり、請求項４の発明はストッパーを偏心ウエイトの端面に形成した溝に装着する構成である。
【０００８】
請求項２の発明は、断面半円形とした双方の偏心ウエイトを取付軸に遊嵌し、各取付軸に固定されたギアに、前記偏心ウエイトに当接して前記偏心ウエイトの位相を規制するストッパーを所定の角度をなして２カ所に突設し、前記駆動入力の正逆切替によって二つの偏心ウエイトの位相を１８０度変化させ、機体の進行が前進及び後進に変換されるように構成する。
請求項３の発明は、断面半円形とした双方の偏心ウエイトを取付軸に遊嵌し、各取付軸に固定されたギアに、前記偏心ウエイトに当接して前記偏心ウエイトの位相を規制するストッパーを所定の角度をなして２カ所に突設し、前記駆動入力の正逆切替によって二つの偏心ウエイトの位相を９０度変化させ、機体の進行が前進及び停止に変換されるように構成する。
【０００９】
請求項４の発明は、偏心ウエイトの端面に前記ストッパーが装着される円弧状の溝を設け、駆動入力の正逆切替によって二つの偏心ウエイトの位相を変化させ、機体の進行が変換されるように構成するものである。前記において、偏心ウエイトに形成する円弧状溝の形成角度を適宜選択することにより、前進後進の切替、前進停止の切替などを得るようにする。
【０００１０】
【作用】
この発明によれば、取付軸に遊嵌された偏心ウエイトは、取付軸側に設けたストッパーから回転力を伝達されて回転する。したがって、例えば偏心ウエイトを断面半円形としてその側面にストッパーが当接する構成とすれば、駆動入力を逆転させて取付軸が逆回転するとき、ストッパーは従前当接していた偏心ウエイトの面から離れる方向へ回転し、１８０度回転した後に再度偏心ウエイトの側面に当接し、偏心ウエイトを回転させる。そして、前記ストッパーが偏心ウエイトから離れて１８０度移動する間、取付軸に固定された偏心ウエイトは１８０度回転するので、取付軸に遊嵌された偏心ウエイトの回転開始時には正転時を基準として両偏心ウエイトの位相は１８０度（＋９０度から−９０度へ）変化する。したがって、機体の進行方向は逆転する。
【００１１】
【発明の実施の形態１】
振動締固め機Ａの転圧プレート１上に、機体の進行方向と直角に２本の取付軸２、２ａが取り付けてあり、これらの軸２、２ａの端部には互いに連動するギア３、３ａが取り付けてある。前記一方の取付軸２にはプーリー４が取り付けてあり、プーリー４に装着されたベルト１０により正逆回転自在のモータ９の回転力が入力されるようにしてある。
【００１２】
前記駆動側の取付軸２には断面半円形の偏心ウエイト５が取り付けてあり、取付軸２と偏心ウエイト５の間にはキーを介在させて、偏心ウエイト５は取付軸２に固定してある。前記従動側の取付軸２ａには断面半円形の偏心ウエイト５ａが、回転自在に遊嵌してあり、偏心ウエイト５ａの一側には上下２カ所に、ストッパー受けとなる凹部６、６ａが形成してある。
【００１３】
図４に示すように、従動側のギヤ３ａに９０度の角度をなして２カ所にストッパー７、７ａを突設してある。前記ストッパーの突設位置は、図４に示すように正転時には駆動側の偏心ウエイト５が下向きのときに従動側の偏心ウエイト５ａが後方向きとなり、逆転時には偏心ウエイト５が下向きのとき、偏心ウエイト５ａも下向きとなるような位置に設ける。
【００１４】
この実施形態において、駆動入力を正転させて駆動側の取付軸２を正転（図４矢示）させると、ギア３ａに突設した一方のストッパー７は偏心ウエイト５ａの側面に形成した一方の凹部６に当接し、偏心ウエイト５ａを回転させる。このとき、二つの偏心ウエイトにより発生する力の方向は前方４５度上下方向であり、機体は前進する。
【００１５】
駆動入力を逆転させて駆動側の取付軸２を逆転（図５矢示）させると、従動側の取付軸２ａは前記取付軸２と反対向きに回転する。このとき、ギア３ａに突設した他方のストッパー７ａは偏心ウエイト５ａの側面に形成した一方の凹部６ａに当接し、偏心ウエイト５ａを回転させる。なお、図４の状態から図５の状態に至るまで、ストッパー７は偏心ウエイト５ａに当接せずに９０度回転し、この間駆動側の偏心ウエイト５は逆方向に９０度回転する。したがって、正転時と逆転時とは二つの偏心ウエイトの位相が９０度ずれ、図５の状態では、二つの偏心ウエイトで発生する力は上下方向であり、機体は停止する（前後に動かず上下振動のみ行なう）。
【００１６】
【発明の実施の形態２】
この実施の形態は、請求項４の発明に係るものである。図６に示すように、従動側の取付軸２ａに遊嵌した偏心ウエイト５ａのギア３ａ側の端面に、前記ギア３ａに突設したストッパー７が装着される円弧状の溝８が形成してある。この溝８は、円弧の中心角を１８０度としてあり、ギア３ａの正逆回転によりストッパー７が異なる端縁に当接し、偏心ウエイト５ａが回転するようにしてある。ストッパー７は、正転時には図６に示すように駆動側の偏心ウエイト５が下向きのときに従動側の偏心ウエイト５ａは後方向きになり、逆転時には図７に示すように偏心ウエイト５が下向きのときに偏心ウエイト４ａが前方向きになるような位置に設ける。上記以外の構成は実施の形態１と同様である。
【００１７】
この実施の形態においては、両偏心ウエイト５、５ａは駆動入力の正逆回転により図６及び図７に示すように位相が１８０度変化し、前後進が切り替わる。なお、溝の中心角を９０度とすれば、偏心ウエイトの相対位置は前記実施の形態１と同様となり、前進と停止を切換えることができる。
【００１８】
【発明の実施の形態３】
上記各実施の形態においては、従動側の偏心ウエイト５ａのみを取付軸に遊嵌したが、双方の偏心ウエイト５、５ａを共に取付軸に遊嵌し、位相を変化させることもできる。図８において、断面半円形とした両偏心ウエイト５、５ａはそれぞれ取付軸２、２ａに遊嵌してあり、駆動側のギア３と従動側のギア３ａの双方にそれぞれストッパー７が突設してある。そして、前記駆動側の偏心ウエイト５の端面に形成したストッパー７を受ける凹部６は中心角を概ね１８０度とした円弧状としてある。前記両ストッパーの相対位置は、正転時には図８のように偏心ウエイト５が下向きのときに偏心ウエイト５ａが後方向きとなり（このとき、両ストッパー７は偏心ウエイトの側面に当接する）、逆転時には図９のように偏心ウエイト５が下向きのときに偏心ウエイト５ａが前方向きとなる（このとき駆動側はストッパー７が凹部６の端縁に当接する）ようにしてある。この実施の形態においても、実施の形態２と同様、両偏心ウエイト５、５ａは駆動入力の正逆回転により図８及び図９に示すように位相が概ね１８０度変化し、前後進が切り替わる。
【００１９】
【発明の実施の形態４】
図１０において、駆動側のギア３には１３５度の角度をなしてストッパー、７ａが突設してあり、従動側のギア３ａには４５度の角度をなしてストッパー７、７ａが突設してある。そして、両偏心ウエイト５、５ａは断面半円形としてある。前記各ストッパーの相対位置は、正転時には図１０に示すように、偏心ウエイト５が下向きのときに偏心ウエイト５ａは後方向きとなり、逆転時には図１１に示すように偏心ウエイト５が下向きのときに偏心ウエイト５ａも下向きとなるようにしてある。この実施の形態においても、実施の形態１と同様、両偏心ウエイト５、５ａは駆動入力の正逆回転により図１０及び図１１に示すように位相が９０度変化し、前進と停止が切り替わる。
【００２０】
【参考例】
図２及び３は、この発明の参考例である。従動側の取付軸２ａに固定されたギア３ａには、ストッパー７が突設してある。このストッパー７は、正転時には図２に示すように駆動側の偏心ウエイト５が下向きのときに従動側の偏心ウエイト５ａは後方向きになり、逆転時には図３に示すように偏心ウエイト５が下向きのときに偏心ウエイト４ａが前方向きになるような位置に設ける。図中符号１１はハンドル、１２は制御ボックスである。このストッパー７の形状は、図ではピン状として示してあるが、形状に制約はなく例えば板体でもよい。また、ストッパー７はギヤに取り付けるほか、偏心ウエイトの取付軸２ａに取り付けてもよい。
【００２１】
この参考例において、駆動入力を正転させて駆動側の取付軸２を正転（図３矢示）させると、従動側の取付軸２ａは前記取付軸２と反対向きに回転する。このとき、ギア３ａに突設したストッパー７は偏心ウエイト５ａの側面に形成した一方の凹部６に当接し、偏心ウエイト５ａを回転させる。このとき、二つの偏心ウエイトによって発生する力の方向は前方４５度上下方向であり、機体は前進する。
【００２２】
駆動入力を逆転させて駆動側の取付軸２を逆転（図３矢示）させると、従動側の取付軸２ａは前記取付軸２と反対向きに回転する。このとき、ギア３ａに突設したストッパー７は偏心ウエイト５ａの側面に形成した他方の凹部６ａに当接し、偏心ウエイト５ａを回転させる。なお、図２の状態から図３の状態に至るまで、ストッパー７は偏心ウエイト５ａに当接せずに半回転し、この間駆動側の偏心ウエイト５は半回転する。したがって、正転時と逆転時とは二つの偏心ウエイトの位相が１８０度ずれる。図３の状態では、二つの偏心ウエイトによって発生する力の方向は後方４５度上下方向であり、機体は後進する。
【００２３】
【発明の効果】
この発明によれば、一方又は双方の偏心ウエイトを取付軸に遊嵌し、取付軸側に設けたストッパーによって、両偏心ウエイトの位相を変化させるようにしたので、駆動入力の回転を正逆切り替えるのみによって、機体の進行（前進、後進、停止）を変換することができる。
【図面の簡単な説明】
【図１】 この発明の実施の形態１の平面図である。
【図２】 この発明の参考例における偏心ウエイトとストッパーの正転時の状態を示す正面図である。
【図３】 同じく偏心ウエイトとストッパーとの逆転時の状態を示す正面図である。
【図４】 この発明の実施の形態１における偏心ウエイトとストッパーとの正転時の状態を示す正面図である。
【図５】 同じく偏心ウエイトとストッパーとの逆転時の状態を示す正面図である。
【図６】 この発明の実施の形態２における偏心ウエイトとストッパーとの正転時の状態を示す正面図である。
【図７】 同じく偏心ウエイトとストッパーとの逆転時の状態を示す正面図である。
【図８】 この発明の実施の形態３における偏心ウエイトとストッパーとの正転時の状態を示す正面図である。
【図９】 同じく偏心ウエイトとストッパーとの逆転時の状態を示す正面図である。
【図１０】 この発明の実施の形態４における偏心ウエイトとストッパーとの正転時の状態を示す正面図である。
【図１１】 同じく偏心ウエイトとストッパーとの逆転時の状態を示す正面図である。
【符号の説明】
１ プレート
２ 取付軸
２ａ 取付軸
３ ギア
３ａ ギア
４ プーリー
５ 偏心ウエイト
５ａ 偏心ウエイト
６ 凹部
６ａ 凹部
７ ストッパー
７ａ ストッパー
８ 溝
９ モータ
１０ ベルト
１１ ハンドル
１２ 制御ボックス
Ａ 振動締固め機
【図１】
0004035220.tif 000002
【図２】
0004035220.tif 000003
【図３】
0004035220.tif 000004
【図４】
0004035220.tif 000005
【図５】
0004035220.tif 000006
【図６】
0004035220.tif 000007
【図７】
0004035220.tif 000008
【図８】
0004035220.tif 000009
【図９】
0004035220.tif 000010
【図１０】
0004035220.tif 000011
【図１１】
0004035220.tif 000012